【手続補正書】
【提出日】平成16年6月21日(2004.6.21)
【手続補正１】
【補正対象書類名】明細書
【補正対象項目名】特許請求の範囲
【補正方法】変更
【補正の内容】
【特許請求の範囲】
【請求項１】
送信側にも受信側にもはたらく少なくとも１対の超音波送受波器を設け、流体の流れの中を上流から下流及び下流から上流に超音波の送受を行い、その各向きの到達時間より流量を求める超音波流量計であって、
送信側の送受波器を発信させ、受信側の送受波器の信号を入力とする受信波検知部が受信波を検知すると、再び送信側の送受波器を発信させるようにし、これを一定回数（ｎ回）繰り返すよう構成し、最初の発信から一定回数目（ｎ回目）の受信までの時間を測定し、その結果から到達時間を求めるようにしたものにおいて、
前記受信波検知部が受信波を検知してから再び送信側の送受波器を発信させるまでに一定の時間を置くようにし、
この一定の時間により前記最初の発信から一定回数目の受信までの時間が長くなる分を補正して前記到達時間を求めるようにしたことを特徴とする超音波流量計。
【請求項２】
送信側にも受信側にもはたらく少なくとも１対の超音波送受波器を設け、流体の流れの中を上流から下流及び下流から上流に超音波の送受を行い、その各向きの到達時間より流量を求める超音波流量計であって、
送信側の送受波器を発信させ、受信側の送受波器の信号を入力とする受信波検知部が受信波を検知すると、再び送信側の送受波器を発信させるようにし、これを一定回数（ｎ回）繰り返すよう構成し、最初の発信から一定回数目（ｎ回目）の受信までの時間を測定し、その結果から到達時間を求めるようにしたものにおいて、
前記受信波検知部が受信波を検知してから再び送信側の送受波器を発信させるまでに時間を置くようにするとともにその時間を受信毎に変化させるようにし、
この時間により前記最初の発信から一定回数目の受信までの時間が長くなる分を補正して前記到達時間を求めるようにしたことを特徴とする超音波流量計。
【請求項３】
送信側にも受信側にもはたらく少なくとも１対の超音波送受波器を設け、流体の流れの中を上流から下流及び下流から上流に超音波の送受を行い、その各向きの到達時間より流量を求める超音波流量計であって、
送信側の送受波器を発信させ、受信側の送受波器の信号を入力とする受信波検知部が受信波を検知すると、再び送信側の送受波器を発信させるようにし、これを一定回数（ｎ回）繰り返すよう構成し、最初の発信から一定回数目（ｎ回目）の受信までの時間を測定し、その結果から到達時間を求めるようにしたものにおいて、
前記受信波検知部が受信波を検知してから再び送信側の送受波器を発信させるまでに時間を置くようにも、時間を置かずに即発信するようにもできるようにし、通常の測定とは別に即発信させるモードで測定を行い、その測定と時間的に近接して行う時間を置くモードでの測定結果との差を、前記最初の発信から一定回数目の受信までの時間が長くなる分とし、この分を補正して前記到達時間を求めるようにしたことを特徴とする超音波流量計。
【請求項４】
受信波検知部が受信波を検知してから再び送信側の送受波器を発信させるまでに置く時間を受信毎に変化させるようにした請求項３記載の超音波流量計。
【請求項５】
送信側にも受信側にもはたらく少なくとも１対の超音波送受波器を設け、流体の流れの中を上流から下流及び下流から上流に超音波の送受を行い、その各向きの到達時間より流量を求める超音波流量計であって、
送信側の送受波器を発信させ、受信側の送受波器の信号を入力とする受信波検知部が受信波を検知すると、再び送信側の送受波器を発信させるようにし、これを一定回数（ｎ回）繰り返すよう構成し、最初の発信から一定回数目（ｎ回目）の受信までの時間を測定し、その結果から到達時間を求めるようにしたものにおいて、
前記受信波検知部が受信波を検知してから再び送信側の送受波器を発信させるまでに一定の時間を置くようにし、
更に、順方向測定と逆方向測定で共通の遅延回路を用いて前記一定の時間を置くようにしたことを特徴とする超音波流量計。
【請求項６】
送信側にも受信側にもはたらく少なくとも１対の超音波送受波器を設け、流体の流れの中を上流から下流及び下流から上流に超音波の送受を行い、その各向きの到達時間より流量を求める超音波流量計であって、
送信側の送受波器を発信させ、受信側の送受波器の信号を入力とする受信波検知部が受信波を検知すると、再び送信側の送受波器を発信させるようにし、これを一定回数（ｎ回）繰り返すよう構成し、最初の発信から一定回数目（ｎ回目）の受信までの時間を測定し、その結果から到達時間を求めるようにしたものにおいて、
前記受信波検知部が受信波を検知してから再び送信側の送受波器を発信させるまでに時間を置くようにするとともにその時間を受信毎に変化させるようにし、
更に、順方向測定と逆方向測定で共通の遅延回路を用いて前記時間を置くようにしたことを特徴とする超音波流量計。
【請求項７】
送信側にも受信側にもはたらく少なくとも１対の超音波送受波器を設け、流体の流れの中を上流から下流及び下流から上流に超音波の送受を行い、その各向きの到達時間より流量を求める超音波流量計であって、
送信側の送受波器を発信させ、受信側の送受波器の信号を入力とする受信波検知部が受信波を検知すると、再び送信側の送受波器を発信させるようにし、これを一定回数（ｎ回）繰り返すよう構成し、最初の発信から一定回数目（ｎ回目）の受信までの時間を測定し、その結果から到達時間を求めるようにしたものにおいて、
前記受信波検知部が受信波を検知してから再び送信側の送受波器を発信させるまでに時間を置くようにするとともにその時間を受信毎に変化させるようにし、
更に、順方向測定と逆方向測定で共通の遅延回路を用いて同一のパターンで前記時間を置くようにしたことを特徴とする超音波流量計。
【請求項８】
順方向測定と逆方向測定で共通の遅延回路を用いて前記一定の時間を置くようにした請求項１記載の超音波流量計。
【請求項９】
順方向測定と逆方向測定で共通の遅延回路を用いて前記時間を置くようにした請求項３記載の超音波流量計。
【請求項１０】
順方向測定と逆方向測定で共通の遅延回路を用いて同一のパターンで前記時間を置くようにした請求項２又は４記載の超音波流量計。
【請求項１１】
前記時間を置くことによる、最初の発信からｎ回目の受信までの時間が長くなる分を予め記憶しておくようにした請求項１又は２記載の超音波流量計。
【請求項１２】
流量がゼロ付近で、最初の発信からｎ回目の受信までの時間が長くなる分を求めるようにした請求項３又は４記載の超音波流量計。
【請求項１３】
一定時間おきに、最初の発信からｎ回目の受信までの時間が長くなる分を求めるようにした請求項３又は４記載の超音波流量計。
【手続補正２】
【補正対象書類名】明細書
【補正対象項目名】００２３
【補正方法】変更
【補正の内容】
【００２３】
【課題を解決するための手段】上記の課題を解決するために、請求項１記載の第１の発明は、送信側にも受信側にもはたらく少なくとも１対の超音波送受波器を設け、流体の流れの中を上流から下流及び下流から上流に超音波の送受を行い、その各向きの到達時間より流量を求める超音波流量計であって、
送信側の送受波器を発信させ、受信側の送受波器の信号を入力とする受信波検知部が受信波を検知すると、再び送信側の送受波器を発信させるようにし、これを一定回数（ｎ回）繰り返すよう構成し、最初の発信から一定回数目（ｎ回目）の受信までの時間を測定し、その結果から到達時間を求めるようにしたものにおいて、
前記受信波検知部が受信波を検知してから再び送信側の送受波器を発信させるまでに一定の時間を置くようにし、
この一定の時間により前記最初の発信から一定回数目の受信までの時間が長くなる分を補正して前記到達時間を求めるようにしたことを特徴とするものである。
【手続補正３】
【補正対象書類名】明細書
【補正対象項目名】００２５
【補正方法】変更
【補正の内容】
【００２５】
請求項２記載の第２の発明は、送信側にも受信側にもはたらく少なくとも１対の超音波送受波器を設け、流体の流れの中を上流から下流及び下流から上流に超音波の送受を行い、その各向きの到達時間より流量を求める超音波流量計であって、
送信側の送受波器を発信させ、受信側の送受波器の信号を入力とする受信波検知部が受信波を検知すると、再び送信側の送受波器を発信させるようにし、これを一定回数（ｎ回）繰り返すよう構成し、最初の発信から一定回数目（ｎ回目）の受信までの時間を測定し、その結果から到達時間を求めるようにしたものにおいて、
前記受信波検知部が受信波を検知してから再び送信側の送受波器を発信させるまでに時間を置くようにするとともにその時間を受信毎に変化させるようにし、
この時間により前記最初の発信から一定回数目の受信までの時間が長くなる分を補正して前記到達時間を求めるようにしたことを特徴とするものである。
【手続補正４】
【補正対象書類名】明細書
【補正対象項目名】００２７
【補正方法】変更
【補正の内容】
【００２７】
請求項３記載の第３の発明は、送信側にも受信側にもはたらく少なくとも１対の超音波送受波器を設け、流体の流れの中を上流から下流及び下流から上流に超音波の送受を行い、その各向きの到達時間より流量を求める超音波流量計であって、
送信側の送受波器を発信させ、受信側の送受波器の信号を入力とする受信波検知部が受信波を検知すると、再び送信側の送受波器を発信させるようにし、これを一定回数（ｎ回）繰り返すよう構成し、最初の発信から一定回数目（ｎ回目）の受信までの時間を測定し、その結果から到達時間を求めるようにしたものにおいて、
前記受信波検知部が受信波を検知してから再び送信側の送受波器を発信させるまでに時間を置くようにも、時間を置かずに即発信するようにもできるようにし、通常の測定とは別に即発信させるモードで測定を行い、その測定と時間的に近接して行う時間を置くモードでの測定結果との差を、前記最初の発信から一定回数目の受信までの時間が長くなる分とし、この分を補正して前記到達時間を求めるようにしたことを特徴とするものである。
【手続補正５】
【補正対象書類名】明細書
【補正対象項目名】００３０
【補正方法】変更
【補正の内容】
【００３０】
本発明においては、上記第３の発明において、更に上記第２の発明の作用を発揮できる。
請求項５記載の第５の発明は、送信側にも受信側にもはたらく少なくとも１対の超音波送受波器を設け、流体の流れの中を上流から下流及び下流から上流に超音波の送受を行い、その各向きの到達時間より流量を求める超音波流量計であって、
送信側の送受波器を発信させ、受信側の送受波器の信号を入力とする受信波検知部が受信波を検知すると、再び送信側の送受波器を発信させるようにし、これを一定回数（ｎ回）繰り返すよう構成し、最初の発信から一定回数目（ｎ回目）の受信までの時間を測定し、その結果から到達時間を求めるようにしたものにおいて、
前記受信波検知部が受信波を検知してから再び送信側の送受波器を発信させるまでに一定の時間を置くようにし、
更に、順方向測定と逆方向測定で共通の遅延回路を用いて前記一定の時間を置くようにしたことを特徴とする超音波流量計である。
請求項６記載の第６の発明は、送信側にも受信側にもはたらく少なくとも１対の超音波送受波器を設け、流体の流れの中を上流から下流及び下流から上流に超音波の送受を行い、その各向きの到達時間より流量を求める超音波流量計であって、
送信側の送受波器を発信させ、受信側の送受波器の信号を入力とする受信波検知部が受信波を検知すると、再び送信側の送受波器を発信させるようにし、これを一定回数（ｎ回）繰り返すよう構成し、最初の発信から一定回数目（ｎ回目）の受信までの時間を測定し、その結果から到達時間を求めるようにしたものにおいて、
前記受信波検知部が受信波を検知してから再び送信側の送受波器を発信させるまでに時間を置くようにするとともにその時間を受信毎に変化させるようにし、
更に、順方向測定と逆方向測定で共通の遅延回路を用いて前記時間を置くようにしたことを特徴とする超音波流量計である。
請求項７記載の第７の発明は、送信側にも受信側にもはたらく少なくとも１対の超音波送受波器を設け、流体の流れの中を上流から下流及び下流から上流に超音波の送受を行い、その各向きの到達時間より流量を求める超音波流量計であって、
送信側の送受波器を発信させ、受信側の送受波器の信号を入力とする受信波検知部が受信波を検知すると、再び送信側の送受波器を発信させるようにし、これを一定回数（ｎ回）繰り返すよう構成し、最初の発信から一定回数目（ｎ回目）の受信までの時間を測定し、その結果から到達時間を求めるようにしたものにおいて、
前記受信波検知部が受信波を検知してから再び送信側の送受波器を発信させるまでに時間を置くようにするとともにその時間を受信毎に変化させるようにし、
更に、順方向測定と逆方向測定で共通の遅延回路を用いて同一のパターンで前記時間を置くようにしたことを特徴とする超音波流量計である。
請求項８記載の第８の発明は、上記第１の発明において、順方向測定と逆方向測定で共通の遅延回路を用いて前記一定の時間を置くようにしたものである。
請求項９記載の第９の発明は、上記第３の発明において、順方向測定と逆方向測定で共通の遅延回路を用いて前記時間を置くようにしたものである。
請求項１０記載の第１０の発明は、上記第２又は第４の発明において、順方向測定と逆方向測定で共通の遅延回路を用いて同一のパターンで前記時間を置くようにしたものである。
請求項１１記載の第１1の発明は、上記第１又は第２の発明において、前記時間を置くことによる、最初の発信からｎ回目の受信までの時間が長くなる分を予め記憶しておくようにしたものである。
請求項１２記載の第１２の発明は、上記第３又は４の発明において、流量がゼロ付近で、最初の発信からｎ回目の受信までの時間が長くなる分を求めるようにしたものである。
請求項１３記載の第１３の発明は、上記第３又は第４の発明において、一定時間おきに、最初の発信からｎ回目の受信までの時間が長くなる分を求めるようにしたものである。